(57)【特許請求の範囲】
【請求項１】
キャブのフロント部分に設けられ車室内と連通した開口部を有し、前記開口部の外周部分に全周に亘り形成された凹状溝又は凸条部の何れか一方を有したフロントボディ部と、
前記開口部全体を覆うと共に、前記凹状溝又は凸条部に沿って重合する凸条部又は凹状溝の何れか他方を有するフロントパネルと、
前記フロントパネル又は前記フロントボディ部の開口部外周の何れかに形成された凹状溝に充填されたシーラ剤とから構成され、
前記フロントパネルを前記フロントボディ部に前記シーラ剤を介在して脱着可能に固定するとともに前記開口部の外周部分の縁端又は前記フロントパネルの凹状溝もしくは凸条部の外周縁端の少なくとも何れか一方を全周に亘り断面Ｕ字形状に折曲してなる補強リブを設け、前記シーラ剤は、前記凹状溝に溶着固定されるとともに表面が硬化されていることを特徴とするキャブのフロントボディ構造。
【請求項２】
キャブのフロント部分に設けられ車室内と連通した開口部を有し、前記開口部の外周部分に全周に亘り形成された凹状溝又は凸条部の何れか一方を有したフロントボディ部と、
前記開口部全体を覆うと共に、前記凹状溝又は凸条部に沿って重合する凸条部又は凹状溝の何れか他方を有するフロントパネルと、
前記フロントパネル又は前記フロントボディ部の開口部外周の何れかに形成された凹状溝に充填されたシーラ剤とから構成され、
前記フロントパネルを前記フロントボディ部に前記シーラ剤を介在して脱着可能に固定するとともに前記開口部の外周部分の縁端又は前記フロントパネルの凹状溝もしくは凸条部の外周縁端の少なくとも何れか一方を全周に亘り断面Ｕ字形状に折曲してなる補強リブを設け、前記フロントパネルと前記フロントボディ部との前記シーラ剤を介在した脱着可能な前記固定は、ボルト締結によりなされることを特徴とするキャブのフロントボディ構造。
【発明の詳細な説明】
【０００１】
【発明の属する技術分野】
本発明は、キャブのフロントボディ構造に関する。
【０００２】
【従来の技術】
図５に示すようなキャブオーバタイプの車両のキャブ１の前部は、フロントパネル２、フロントガーニッシュ３、ラジエータグリル４等により構成されている。フロントパネル２は、図６に示すように上部がウィンドアウタパネル５と一体とされウィンドインナパネル６と協働してウィンドレール７を構成し、下端がフロントエンドクロス８の前端に溶着された構造、或いは、図７に示すようにフロントパネル２の上端がウィンドレール９の下端に、下端がフロントエンドクロス８の前端に溶着された構造のものがある。
【０００３】
図６に示す構造においては、フロントパネル２とインストルメントパネルアセンブリ１２との間にワイパシステム１３、空調装置１４を収納し、図７に示す構造においては、ウィンドレール９のウィンドアウタパネル１０に開口１０ａを設け、当該ウィンドレール９内にワイパシステム１３を収納し、フロントパネル２とインストルメントパネルアセンブリ１２との間に空調装置１４を収納している。
【０００４】
【発明が解決しようとする課題】
しかしながら、図６に示す構造においてはワイパシステム１３、空調装置１４の整備や、空調装置１４のヒータコア等の交換等を行う場合、インストルメントパネルアセンブリ１２を取り外して行う必要がある。また、図７に示す構造においては、ワイパシステム１３は、ウィンドレール９の開口１０ａから車室外に取り外しを行うことができるが、ヒータコア等を整備する場合には、インストルメントパネルアセンブリ１２を取り外して行うことが必要である。このため、何れの構造においても整備性や組付性が悪いという問題がある。
【０００５】
このため、本発明では、キャブのフロントボディ部に収納するワイパシステムや空調装置等の組付性や整備性の向上を図るようにしたキャブのフロントボディ構造を供することを目的としている。
【０００６】
【課題を解決するための手段】
上記目的を達成するため、本発明の請求項１では、キャブのフロントボディ部に車室内と連通した開口部を設け、開口部全体を覆うフロントパネルを着脱可能に装着する。フロントボディ部の開口部の外周部分に全周に亘り凹状溝又は凸条部の何れか一方を形成し、フロントパネルに前記凹状溝又は凸条部に沿って重合する凸条部又は凹状溝の何れか他方を形成し、フロントボディ部又は前記フロントパネルの開口部外周の何れかに形成された凹状溝にシーラ剤を介在してシールし脱着可能に固定する。これにより、キャブのフロントボディ部即ち、フロントパネルとインストルメントパネルとの間に収納するワイパシステムや空調装置等を車室の外側から組み付け、取り外し等が可能となり、組付性や整備性の向上が図られる。
そして、前記開口部の外周部分の縁端又は前記フロントパネルの凹状溝もしくは凸条部の外周縁端の少なくとも何れか一方を全周に亘り断面Ｕ字形状に折曲して補強リブを設けて開口部及びフロントパネルの強度を向上させている。
更に、シーラ剤は、前記凹状溝に溶着固定されるとともに表面が硬化されてパッキンとされる。これにより、シーリングの品質の安定化を図っている。
【０００７】
請求項２の発明では、キャブのフロントボディ部に車室内と連通した開口部を設け、開口部全体を覆うフロントパネルを着脱可能に装着する。フロントボディ部の開口部の外周部分に全周に亘り凹状溝又は凸条部の何れか一方を形成し、フロントパネルに前記凹状溝又は凸条部に沿って重合する凸条部又は凹状溝の何れか他方を形成し、フロントボディ部又は前記フロントパネルの開口部外周の何れかに形成された凹状溝にシーラ剤を介在してシールし脱着可能に固定する。これにより、キャブのフロントボディ部即ち、フロントパネルとインストルメントパネルとの間に収納するワイパシステムや空調装置等を車室の外側から組み付け、取り外し等が可能となり、組付性や整備性の向上が図られる。
そして、前記開口部の外周部分の縁端又は前記フロントパネルの凹状溝もしくは凸条部の外周縁端の少なくとも何れか一方を全周に亘り断面Ｕ字形状に折曲して補強リブを設けて開口部及びフロントパネルの強度を向上させている。
更に、前記フロントパネルと前記フロントボディ部との前記シーラ剤を介在した脱着可能な前記固定をボルト締結として全周に亘り略均一にシールしている。
【０００８】
【発明の実施の形態】
以下、図面を参照して本発明の好適な実施例を例示的に詳しく説明する。
図１は、本発明の実施形態としてのキャブの概略斜視図を示し、図２及び図３は、図１の矢線II−II及びIII−IIIに沿う断面図を示す。
図１乃至図３に示すようにキャブ２０のフロントボディ部２１は、上部のウィンドレール２２、左右両側部のフロントピラー２３、下部のフロントエンドクロスメンバ２４、フロントパネル２６、ガーニッシュ２７、グリル２８、コーナパネル２９等により構成されている。
【０００９】
フロントボディ部２１は、図２及び図３に示すように前面が大きく開口されて車室内と連通可能とされている。開口部３０は、上部のウィンドレール２２の下端２２ａと、左右のフロントピラー２３の前端２３ａと、フロントエンドクロスメンバ２４の前端２４ａとにより囲まれて形成されている。また、フロントエンドクロスメンバ２４の前端２４ａには、シール用ブラケット２５が固定されている。そして、この開口部３０の周縁部には、適宜の間隔でボルト挿通孔が穿設され、且つ裏側にナット３１が溶着されている。
【００１０】
開口部３０の周縁部には、全周に亘り凹状溝３３が形成されている。即ち、ウィンドレール２２の下端２２ａと、左右のフロントピラー２３の前端２３ａと、フロントエンドクロスメンバ２４のブラケット２５には夫々ナット３１の外側に凹状溝２２ｂ、２３ｂ、２５ｂが形成されており、これらの凹状溝が連続して前記凹状溝３３とされている。そして、凹状溝３３にはシール部材としてのボディシーラ３４が全周に亘り充填されている。この凹状溝３３は、開口部３０の補強リブとしての機能を備えており、開口部３０の周縁部の強度の向上が図られる。
【００１１】
フロントパネル２６は、開口部３０を閉塞し、且つ着脱可能に取り付けられている。フロントパネル２６の周縁部には、全周に亘り開口部３０の凹状溝３３と対応して凸条部２６ａが形成されており、外周縁部２６ｂは断面略Ｕ字形状に折曲されて補強リブ（以下「補強リブ２６ｂ」という）とされている。この凸条部２６ａの内側には、開口部３０の周縁部に設けられた各ボルト挿通孔と対応してボルト挿通孔が穿設されている。
【００１２】
図４は、開口部３０の凹状溝３３にボディシーラ３４を充填する場合の説明図である。先ず、キャブ２０を下塗り（電着）した後（ａ）、凹状溝３３にボディシーラ３４を塗布する（ｂ）。次いで、ボディシーラ３４をヘラで平らに仕上げてマスキングテープ３５により表面をマスキングし（ｃ）、上塗り３６をして焼き付けした後マスキングテープテープ３５を取り除く（ｄ）。ボディシーラ３４は、上塗りの焼き付け温度により凹状溝３３に溶着固定されると共に表面３４ａが硬化してパッキンとされる。これにより、シーリングの品質が安定すると共に、後述するフロントパネル２６の着脱時におけるはみ出し等が防止されて、作業性の向上が図られる。
【００１３】
また、図４（ｅ）に示すように、ボディシーラ３４の表面が、フロントパネル２６の外周部分の影となるように、フロントパネル２６をフロントボディ２１の開口部３０に仮支持した状態で上塗り塗装を施すようにしてもよい。これによって、上塗りの塗料がボディシーラ３４の表面に付着することをできるだけ防止するようにしながら、その他の部分には上塗り塗装を施すことができるので、マスキングテープ３５によるマスキング作業、及び取り外し作業を省略することができる。ボディシーラ３４の表面には、上塗りの塗料が付着しないことが好ましいが、フロントパネル２６の外周部分を回り込んで付着する程度であれば実用上問題はない。
【００１４】
ワイパシステムや空調装置等は、開口部３０からキャブ２０のフロントボディ部２１内に収納され、２点鎖線で示すようにワイパシステム１３は、ウィンドレール２２の下方位置に取り付けられ、空調装置１４は、開口部３０の後方に取り付けられる。また、室内側にインストルメントパネル３７（図１）が取り付けられる。これにより、ワイパシステム１３、空調装置１４等の組付性の向上が図られる。
【００１５】
フロントパネル２６は、開口部３０の外側に取り付けられ、凸条部２６ａが開口部３０の凹状溝３３に重合され、ナット３１にボルト３９で固定される。この状態において、フロントパネル２６の凸条部２６ａがボディシーラ３４の表面３４ａに圧接してシールされる。凸条部２６ａは、フロントパネル２６の全周に亘り連続して形成されていることで、シール部の剛性が図られ、全周に亘り略均一に、且つ良好にシールされる。
【００１６】
開口部３０は、周縁部が凹状溝３３により剛性の向上が図られ、フロントパネル２６は、凸条部２６ａ及び補強リブ２６ｂにより剛性の向上が図られることで、キャブ２０のフロントボディ部２１の剛性の向上が図られる。
フロントパネル２６が開口部３０に装着固定された後、フロントパネル２６の上部とウィンドレール２２との間にガーニッシュ２７が装着され、フロントパネル２６の下部にグリル２８が装着され（図２）、フロントパネル２６の両側部にコーナパネル２９が装着される（図３）。
【００１７】
ワイパシステム１３、空調装置１４を整備する場合には、ガーニッシュ２７、グリル２８及び左右のコーナパネル２９を外し、ボルト３９を外してフロントパネル２６を取り外す。これにより、フロントボディ部２１の開口部３０が開口され、車室の外側からワイパシステム１３や空調装置１４の整備やヒータコアの交換等を容易に行うことができる。
【００１８】
尚、上記実施の形態においては、開口部３０の周縁部に凹状溝３３を形成し、フロントパネル２６に凹状溝３３に重合する凸条部２６ａを形成したが、これとは反対に開口部３０の周縁部に凸条部を形成し、フロントパネル２６側に凹状溝を形成してもよい。
【００１９】
【発明の効果】
本発明によれば、フロントボディ部に車室内と連通する開口部を設け、この開口部を覆うフロントパネルを着脱可能に取り付けることで、キャブのフロントボディ部に収納されているワイパシステムや空調装置等を車室の外側から組み付け、取り外しが可能となり、組付性や整備性の向上が図られ、作業性の向上が図られる。また、フロントボディ部の開口部やフロントパネルの補強が図られ、シール性の向上が図られる。更に、開口部とフロントパネルとの間に設けられるシーラ剤のシーリングの品質の安定が図られると共に、凹状溝からのはみ出し等が防止され、フロントパネルの着脱時における作業性の向上や見栄えの向上が図られる。
【００２０】
請求項２の発明では、フロントボディ部に車室内と連通する開口部を設け、この開口部を覆うフロントパネルを着脱可能に取り付けることで、キャブのフロントボディ部に収納されているワイパシステムや空調装置等を車室の外側から組み付け、取り外しが可能となり、組付性や整備性の向上が図られ、作業性の向上が図られる。また、フロントボディ部の開口部やフロントパネルの補強が図られ、シール性の向上が図られる。更に、フロントパネルとフロントボディ部との前記シーラ剤を介在した脱着可能な前記固定を、ボルト締結とすることで全周に亘り略均一に且つ良好にシールすることができる。
【図面の簡単な説明】
【図１】本発明に係るキャブのフロントボディ構造の斜視図である。
【図２】図１の矢線II−IIに沿う断面図である。
【図３】図１の矢線III−IIIに沿う断面図である。
【図４】図２の凹状溝３３にボディシーラ３４を充填する場合の説明図である。
【図５】従来のボディ構造のキャブの正面図である。
【図６】図５の矢線VI−VIに沿う断面図である。
【図７】従来のキャブ前部の他の構造を示す断面図である。
【符号の説明】
２０  キャブ
２１  フロントボディ部
２６  フロントパネル
２６ａ  凸条部
２６ｂ  補強リブ
３０  開口部
３３  凹状溝
３４  ボディシーラ（シーラ剤）
【図１】
0003666554.tif 000002
【図２】
0003666554.tif 000003
【図３】
0003666554.tif 000004
【図４】
0003666554.tif 000005
【図５】
0003666554.tif 000006
【図６】
0003666554.tif 000007
【図７】
0003666554.tif 000008